(57)【要約】【課題】  邪魔になったり、波乗り用ボード上に載ったリーシュを踏み付けてしまうことがないだけでなく、大きな移動抵抗となることのない波乗り用ボードのリーシュ絡み防止具を提供する点にある。【解決手段】  波乗り用ボードと使用者とを連結するためのリーシュ３に、該リーシュ３を海中又は水中に沈み込ませるための錘部材４を装着した。そして、前記錘部材４を前記リーシュ３の長手方向に移動自在とするために、該リーシュ３の外径寸法よりも大きな貫通孔を有するリング部材から構成した。【選択図】        図２
2006247370.tif 000002
【特許請求の範囲】
【請求項１】
波乗り用ボードと使用者とを連結するためのリーシュに、該リーシュを海中又は水中に沈み込ませるための錘部材を装着したことを特徴とする波乗り用ボードのリーシュ絡み防止具。
【請求項２】
前記錘部材を、前記リーシュの長手方向に移動自在とするために、該リーシュの外径寸法よりも大きな貫通孔を有するリング部材から構成してなる請求項１記載の波乗り用ボードのリーシュ絡み防止具。
【請求項３】
前記リーシュの両端のうちの少なくとも一端に、端部側ほど外径が大きくなるテーパー部を備え、そのテーパー部の中間部に、前記錘部材の貫通孔を形成する部位が食い込んで移動不能となるように該錘部材の貫通孔の大きさを設定してなる請求項１又は２記載の波乗り用ボードのリーシュ絡み防止具。
【請求項４】
前記リング部材を、円形でリング状の金属製のリング本体と、このリング本体の外面のうち、前記リーシュと接触する内周面を少なくとも除いた外面を覆うための合成樹脂製のカバー体とから構成してなる請求項２又は３記載の波乗り用ボードのリーシュ絡み防止具。
【請求項５】
前記リーシュに外装した錘部材を、該リーシュの長手方向で切断したときの断面形状がほぼ円弧状又はほぼ三角形状となるように構成してなる請求項１〜４のいずれかに記載の波乗り用ボードのリーシュ絡み防止具。
【請求項６】
波乗り用ボードと使用者とを連結するためのリーシュに、それの長手方向とほぼ直交する方向から抱き付かせて該リーシュを海中又は水中に沈み込ませるための錘部材を取り外し自在に設け、前記錘部材を、両端が開放自在なほぼＣ字状に構成し、前記錘部材をそれの開放端から前記リーシュにそれの長手方向とほぼ直交する方向から抱き付かせて該開放端を閉じた状態で保持するための係止保持手段を該錘部材に備えさせてなる波乗り用ボードのリーシュ絡み防止具。
【請求項７】
波乗り用ボードと使用者とを連結するためのリーシュに装着して、該リーシュを海中又は水中に沈み込ませるための錘部材を設け、前記錘部材を、前記リーシュの半径と同一寸法の曲率半径又はそれよりも少し大きな曲率半径にて螺旋状に所定ピッチを隔てて巻回して構成された金属製のコイル部材から構成し、前記錘部材の一端に前記リーシュを係止して該リーシュを回転させることにより該錘部材をリーシュに装着してなる波乗り用ボードのリーシュ絡み防止具。
【請求項８】
前記リーシュの使用者側端部に、端部側ほど外径が大きくなるテーパー部を備え、そのテーパー部に、前記コイル部材の長手方向の一部が係合する螺旋状の溝部を形成してなる請求項７に記載の波乗り用ボードのリーシュ絡み防止具。
【発明の詳細な説明】
【技術分野】
【０００１】
本発明は、ライディング中に波乗り用ボードから海中や水中に使用者が投げ出されても、波乗り用ボードが遠くに流されることがないように、使用者の手や足と波乗り用ボードとを連結しておくための波乗り用ボードのリーシュ絡み防止具に関する。前記波乗り用ボードは、サーフボード、ボディボードなど海や湖で使用する各種ボードを含むものとする。
【背景技術】
【０００２】
波乗り用ボードのリーシュは、一般的にウレタン製のものや細くて長い植物繊維をより合わせた紐（ロープ）などが用いられ、このような材質のものでは比重の関係で海中（水中）に直ちに沈み込むことがなく、海面（水面）を浮遊しながら使用されることになり、この浮遊して弛んでいるリーシュが手や足あるいはボードに備えさせているフィンなどに絡みついてしまい、非常に使用し難いものになっていた。尚、図２４にリーシュ３が足に絡みついた場合を示している。
そこで、リーシュを海面（水面）側に引っ張るための浮き体をリーシュに装着して、リーシュを常に海面（水面）側に引っ張ることによって、リーシュに海面（水面）方向への張力を与えて、リーシュの弛みを解消することで絡み防止を行うようにしている。（例えば、特許文献１参照）。
【特許文献１】実開昭６３−４３５７６号公報
【発明の開示】
【発明が解決しようとする課題】
【０００３】
上記特許文献１では、浮き体が海面（水面）上にあるため、浮き体から波乗り用ボードまでのリーシュが海面付近に浮遊してしまい、そのリーシュに使用者の足や手がリーシュに絡んでしまったり、浮き体の位置によっては使用者にとって非常に邪魔になることがあるだけでなく、波乗り用ボードの上面に浮遊しているリーシュが載った状態となり、足でリーシュを踏み付けてしまうことがあった。
また、波乗り用ボードの移動時において浮き体が大きな移動抵抗にもなるため、非常に使用し難いものであった。
【０００４】
本発明が前述の状況に鑑み、解決しようとするところは、邪魔になったり、波乗り用ボード上に載ったリーシュを踏み付けてしまうことがないだけでなく、大きな移動抵抗となることのない波乗り用ボードのリーシュ絡み防止具を提供する点にある。
【課題を解決するための手段】
【０００５】
本発明の波乗り用ボードのリーシュ絡み防止具は、前述の課題解決のために、波乗り用ボードと使用者とを連結するためのリーシュに、該リーシュを海中又は水中に沈み込ませるための錘部材を装着したことを特徴としている。
上記のようにリーシュを海中又は水中に沈み込ませるための錘部材を設けることによって、波乗り用ボードの上面は勿論のこと、波乗り用ボードの周辺の海面（水面）上又はその付近にリーシュが存在することがなく、海中（水中）に常に位置させることができる。しかも、リーシュが連結されている手や足が海中（水中）に入り込んでもその分錘部材の重みで下方へリーシュが移動することになり、海中（水中）においても手や足が絡むことを確実に阻止することができる。
【０００６】
前記錘部材を、前記リーシュの長手方向に移動自在とするために、該リーシュの外径寸法よりも大きな貫通孔を有するリング部材から構成してもよい。
【０００７】
前記リーシュの両端のうちの少なくとも一端に、端部側ほど外径が大きくなるテーパー部を備え、そのテーパー部の中間部に、前記錘部材の貫通孔を形成する部位が食い込んで移動不能となるように該錘部材の貫通孔の大きさを設定してもよい。
【０００８】
前記リング部材を、円形でリング状の金属製のリング本体と、このリング本体の外面のうち、前記リーシュと接触する内周面を少なくとも除いた外面を覆うための合成樹脂製のカバー体とから構成してもよい。
【０００９】
前記リーシュに外装した錘部材を、該リーシュの長手方向で切断したときの断面形状がほぼ円弧状又はほぼ三角形状となるように構成してもよい。
【００１０】
波乗り用ボードと使用者とを連結するためのリーシュに、それの長手方向とほぼ直交する方向から抱き付かせて該リーシュを海中又は水中に沈み込ませるための錘部材を取り外し自在に設け、前記錘部材を、両端が開放自在なほぼＣ字状に構成し、前記錘部材をそれの開放端から前記リーシュにそれの長手方向とほぼ直交する方向から抱き付かせて該開放端を閉じた状態で保持するための係止保持手段を該錘部材に備えさせて、波乗り用ボードのリーシュ絡み防止具を構成してもよい。
上記のようにリーシュを海中又は水中に沈み込ませるための錘部材を設けることによって、波乗り用ボードの上面は勿論のこと、波乗り用ボードの周辺の海面（水面）上又はその付近にリーシュが存在することがなく、海中（水中）に常に位置させることができる。しかも、リーシュが連結されている手や足が海中（水中）に入り込んでもその分錘部材の重みで下方へリーシュが移動することになり、海中（水中）においても手や足が絡むことを確実に阻止することができる。
また、錘部材が係止保持手段を備えていることから、係止解除操作するだけでリーシュに装着された錘部材をリーシュの長手方向とほぼ直交する方向から容易かつ迅速に取り外して洗浄や点検あるいは交換などを行うことができる。
【００１１】
波乗り用ボードと使用者とを連結するためのリーシュに、該リーシュを海中又は水中に沈み込ませるための錘部材を設け、前記錘部材を、前記リーシュの半径と同一寸法の曲率半径又はそれよりも少し大きな曲率半径にて螺旋状に所定ピッチを隔てて巻回して構成された金属製のコイル部材から構成し、前記錘部材の一端に前記リーシュを係止して該リーシュを回転させることにより該錘部材をリーシュに装着して、波乗り用ボードのリーシュ絡み防止具を構成してもよい。
上記のようにリーシュを海中又は水中に沈み込ませるための錘部材を設けることによって、波乗り用ボードの上面は勿論のこと、波乗り用ボードの周辺の海面（水面）上又はその付近にリーシュが存在することがなく、海中（水中）に常に位置させることができる。しかも、リーシュが連結されている手や足が海中（水中）に入り込んでもその分錘部材の重みで下方へリーシュが移動することになり、海中（水中）においても手や足が絡むことを確実に阻止することができる。
又、錘部材を単純なコイル部材から構成することによって、製造コスト面において有利になるだけでなく、リーシュへのコイル部材の装着もコイル部材の一端にリーシュを係止させて回転させるだけで迅速に行うことができる。開閉自在な錘部材の場合には、錘部材に海中にある他物が接当して不測に開放状態になってリーシュから錘部材が外れるといったことがあるが、コイル部材の場合には他物との接当だけではリーシュから外れることがない。前記コイル部材の表面（外面）に例えば軟質の合成樹脂や発泡性の合成樹脂（ウレタンなど）をコーティングしておけば、波乗りボードとの接触により該ボードが破損することを回避することができるし、また錆止めにもなる。
【００１２】
前記リーシュの使用者側端部に、端部側ほど外径が大きくなるテーパー部を備え、そのテーパー部に、前記コイル部材の長手方向の一部が係合する螺旋状の溝部を形成してもよい。
【発明の効果】
【００１３】
リーシュを海中又は水中に沈み込ませるための錘部材を設けることによって、波乗り用ボードの上面は勿論のこと、波乗り用ボードの周辺の海面（水面）上又はその付近にリーシュが存在することがなく、海中（水中）に常に位置させることができるから、従来のように波乗り用ボードの上面に載ったリーシュを足で踏み付けることがないだけでなく、波乗り用ボードの周辺に浮遊するリーシュが手や足に絡んで邪魔になることがない。しかも、リーシュが連結されている手や足が海中（水中）に入り込んでもその分錘部材の重みで下方へリーシュが移動することになり、手や足が海中（水中）に入り込んだ場合でも、リーシュに手や足が絡むことを確実に阻止することができ、使用し易い波乗り用ボードのリーシュ絡み防止具を提供することができる。又、錘部材が、浮き体のように波乗り用ボードの移動時に大きな移動抵抗になるようなことがなく使用面において有利なものにすることができる。
【００１４】
前記錘部材を、前記リーシュの長手方向に移動自在とするために、該リーシュの外径寸法よりも大きな貫通孔を有するリング部材から構成することによって、例えば使用者の動きに伴って、錘部材がリーシュの長手方向に移動することができるから、例えば錘部材がリーシュに固定されている場合に、錘部材の重量がリーシュの重量と共に一挙に加わって使用者に大きな負荷を与えることがなく、扱いやすいものにすることができる。
【００１５】
前記リーシュの両端のうちの少なくとも一端に、端部側ほど外径が大きくなるテーパー部を備え、そのテーパー部の中間部に、前記錘部材の貫通孔を形成する部位（内側部分）が食い込んで移動不能となるように該錘部材の貫通孔の大きさを設定することによって、リーシュを使用しない不要時などにおいて錘部材をリーシュの一端に食い込ませて固定しておくことができる。特に、海底が浅い所で使用する場合に、リーシュの使用者側の一端のテーパー部に錘部材を食い込ませて固定しておくことによって、錘部材を海中から出ているリーシュの使用者側の一端のテーパー部に強固に位置保持させることができるから、コイル部材に複雑な海底の岩や珊瑚に錘部材を引っ掛けてしまうことがない。
【００１６】
前記錘部材を、円形でリング状の金属製のリング本体と、このリング本体の外面のうち、前記リーシュと接触する内周面を少なくとも除いた外面を覆うための合成樹脂製のカバー体とから構成することによって、リング本体の摺接抵抗の小さな金属の内周面にてリーシュに対して移動し易くしながらも、リング本体の外面を合成樹脂製のカバー体にて覆うことによってリング本体の表面加工を施す必要がなく、製造面において有利になる。
【００１７】
前記リーシュに外装した錘部材を、該リーシュの長手方向で切断したときの断面形状がほぼ円弧状又はほぼ三角形状となるように構成している場合には、円弧状又は三角形の頂部が水流方向に向いた状態にして波乗り用ボードを使用することによって、錘部材の移動抵抗を非常に小さなものにすることができる。
【００１８】
また、錘部材が係止保持手段を備えている場合には、係止解除操作するだけでリーシュに装着された錘部材をリーシュの長手方向とほぼ直交する方向から容易かつ迅速に取り外して洗浄や点検あるいは交換などを行うことができ、商品価値の高いものにすることができる。
【００１９】
また、錘部材を単純なコイル部材から構成することによって、製造コスト面において有利になるだけでなく、リーシュへのコイル部材の装着もコイル部材の一端にリーシュを係止させて回転させるだけで迅速に行うことができ、コスト面及び使用面のいずれにおいても有利になる。また、例えば開閉自在な錘部材の場合において、錘部材に海中にある他物が接当して不測に開放状態になってリーシュから錘部材が外れるといったことがあるが、コイル部材の場合には他物との接当だけではリーシュから外れることがなく、信頼性の高いものにすることができる。また、コイル部材の表面（外面）に例えば軟質の合成樹脂や発泡性の合成樹脂（ウレタンなど）をコーティングしておけば、波乗りボードとの接触により該ボードが破損することを回避することができるし、また錆止めとなり、長期間良好に使用することができる。
【００２０】
リーシュの使用者側端部に、端部側ほど外径が大きくなるテーパー部を備え、そのテーパー部に、コイル部材の長手方向の一部が係合する螺旋状の溝部を形成することによって、海底が浅い所で使用する場合に、端部側の螺旋状の溝部にコイル部材を係合しておくことによって、コイル部材を海中から出ているリーシュの使用者側端部に強固に位置保持させることができるから、コイル部材に複雑な海底の岩や珊瑚にコイル部材を引っ掛けてしまうことがない。また、リーシュの使用者側端部がコイル部材によって真っ直ぐ延びた状態にすることができるため、足に丸くなったリーシュの使用者側端部が絡むといったことを回避することができる。
【発明を実施するための最良の形態】
【００２１】
図１に示すように、波乗り用ボードの一例であるサーフボード１に俯せに乗って波乗りを行っている使用者２の足首（膝でもよい）と該サーフボード１の後端部とをリーシュ（コードとも言う）３にて連結し、そのリーシュ３を海中（水中）に沈み込ませるための錘部材４を該リーシュ３に装着することによって、波乗り用ボードのリーシュ絡み防止具を構成している。波乗り用ボードが、ボディボードなどの他のボードであってもよい。又、波乗り用ボードと使用者２との連結位置は、図１に示される位置以外であってもよい。前記錘部材４を設けることによって、リーシュ３を海中（水中）に沈み込ませることができるから、波乗り用ボード１の上面にリーシュ３が載ってしまうことや波乗り用ボード１の周辺にリーシュ３が浮遊することを阻止することができ、波乗り用ボード１上に載ったリーシュ３を足で踏み付けたり、波乗り用ボード１付近に浮遊しているリーシュ３に足や手が絡むことを確実に阻止することができるようになっている。
【００２２】
前記リーシュ３は、ウレタン製で断面形状が円形のものからなり、水面に浮きやすいものであるため、前記錘部材４を装着することで海中に常に沈み込ませて、使用者２の足や手がリーシュ３に絡むことがないようにしている。前記リーシュ３としては、各種合成樹脂の他、細くて長い植物繊維をより合わせた紐（ロープ）などであってもよい。
【００２３】
前記錘部材４を、図２〜図４に示すように構成している。つまり、リーシュ３の長手方向に移動自在とするために、リーシュ３の外径寸法よりも大きな貫通孔（リーシュ３の外径寸法の１．２倍以上（好ましくは１．５倍以上）４Ｋを有するリング部材からなり、このリング部材４を、円形でリング状の金属製のリング本体４Ａと、このリング本体４Ａの外面のうち、リーシュ３と接触する内周面４ａを少なくとも除いた外面、つまり内周面４ａから外周面４ｂに至るまでの側面４ｃのうちの外周面４ｂ側に所定距離寄った位置から外周面４ｂまでを覆うための合成樹脂製のカバー体４Ｂとから構成している。このように、内周面４ａだけでなく、内周面４ａに近い側面４ｃの一部を合成樹脂製のカバー体４Ｂにて覆っていないことによって、リーシュ３との接触面積を小さくすることができるから、リーシュ３に対する錘部材４の移動をスムーズに行うことができる利点があるが、覆っていない両側面４ｃ，４ｃも合成樹脂製のカバー体４Ｂにて覆って実施してもよい。前記リング本体４Ａの材料としては、錆の発生がし難いアルミニウムを用いることによって、表面加工が不要になる利点があるが、表面にコーティング剤を塗ることにより他の金属材料を用いてもよい。
【００２４】
図５に示すような使用状態において、図６にも示すように、錘部材４が、リーシュ３の長手方向で切断したときの断面形状が円弧状（ほぼ三角形状（山型状）でもよい）に構成することによって、円弧状の頂部が水流方向に向いた状態にして波乗り用ボードを使用することによって、錘部材４の移動抵抗を非常に小さなものにすることができる利点がある。
【００２５】
図７及び図８に示すように、前記リーシュ３を使用者に連結する連結部材６及びサーフボード１の貫通孔１Ａに連結する紐８を保持する保持部材９を、リーシュ３の両端それぞれに、回転自在に連結している。前記リーシュ３の連結部材６側端部及び保持部材９側端部のそれぞれに、端部側ほど外径が大きくなるテーパー部を構成するほぼ円錐状の部材７を外装し、この部材７の中間部（図では部材７の長手方向ほぼ中央部）に、錘部材４の貫通孔を形成する部位（内側部分、つまり内周面４ａの両端部分）が食い込んで錘部材４が移動不能となるように錘部材４の貫通孔の大きさを設定している。従って、錘部材４をいずれかの部材７に固定することで、例えば海底が浅い所で使用する場合に、錘部材４を海中から出した状態にすることによって、複雑な海底の岩や珊瑚にコイル部材４を引っ掛けてしまうことがない。又、錘部材４が不要な時にいずれかのテーパー部を構成する部材７に固定しておくこともできる。図７に示す７Ａは、部材７の表面に形成した凹部であるが、凹部７Ａの無いものであってもよい。ここでは、リーシュ３の両端にテーパー部を構成する部材７を備えさせたが、いずれか一方にのみテーパー部を構成する部材７を備えさせてもよい。
【００２６】
又、図９に示すように、波乗り用ボードの一例であるサーフボード１に俯せに乗って波乗りを行っている使用者２の足首（膝でもよい）と該サーフボード１の後端部とをリーシュ（コードとも言う）３にて連結し、そのリーシュ３を海中（水中）に沈み込ませるための錘部材４を該リーシュ３に取り外し自在に装着することによって、波乗り用ボードのリーシュ絡み防止具を構成している。波乗り用ボードが、ボディボードなどの他のボードであってもよい。又、波乗り用ボードと使用者２との連結位置は、図１に示される位置以外であってもよい。前記錘部材４を設けることによって、リーシュ３を海中（水中）に沈み込ませることができるから、波乗り用ボード１の上面にリーシュ３が載ってしまうことや波乗り用ボード１の周辺にリーシュ３が浮遊することを阻止することができ、波乗り用ボード１上に載ったリーシュ３を足で踏み付けたり、波乗り用ボード１付近に浮遊しているリーシュ３に足や手が絡むことを確実に阻止することができるようになっている。
【００２７】
前記リーシュ３は、ウレタン製で断面形状が円形のものからなり、水面に浮きやすいものであるため、前記錘部材４を装着することで海中に常に沈み込ませて、使用者２の足や手がリーシュ３に絡むことがないようにしている。前記リーシュ３としては、各種合成樹脂の他、細くて長い植物繊維をより合わせた紐（ロープ）などであってもよい。
【００２８】
前記錘部材４を、図１０〜図１４に示すように構成している。つまり、図１４において両端を開放した開放状態において断面形状がほぼＣ字状で、図１０及び図１１に示すように、閉じた状態においてリーシュ３の長手方向に沿う縦長で円筒状となる部材からなり、その長手方向両端側ほど先細りとなる形状、換言すれば長手方向一端から他端に向かって大きな曲率半径にて緩やかな円弧を描く円弧形状となるように形成している。
【００２９】
前記錘部材４は、周方向に配置された２つの錘１０，１０と、これら錘１０，１０を覆うカバー１１とからなり、そのカバー１１の長手方向、つまり装着したリーシュ３の長手方向に沿った方向のほぼ中央部の開放両端面のうちの一方の外側部位に、周方向に延出された第１係止部１２と、他方の内側部位に、周方向に延出され、かつ、前記第１係止部１２に形成の爪部１３に噛み合って係止保持するための爪部１４を備えた第２係止部１５とから、錘部材４の開放両端を閉じた状態で係止保持するための係止保持手段５を構成している。このように開放端面に係止部１２，１５を備えさせることによって、図１０及び図１１に示すように、閉じたときに係止部１２，１５が、錘部材４の外面から外側に突出することがなく、それら係止部１２，１５が海中（水中）で移動抵抗になることがないようにしている。錘１０としては、鉛、銅、鉄などの比重が４以上の重金属が体積を小さくしながらも確実にリーシュ３を海中（水中）に沈み込ませることができることから好ましい。
図１３に示すように、前記錘部材４の内面とリーシュ３の外面との間に隙間Ｓが発生するようにして、リーシュ３に対して錘部材４が移動できるようになっているが、前記隙間Ｓが無い状態にしてもよい。このとき、錘部材４の内面とリーシュ３の外面とを両面テープを用いて完全に固定して実施してもよい。
【００３０】
前記構成の錘部材４をリーシュ３に装着する場合には、まず、両端が開放状態の錘部材４をそれの開放端を介してリーシュ３にそれの長手方向と直交する方向から抱きつかせる（図１４参照）。この状態から両係止部１２，１５を引き付けて爪部１３，１４同士を係止保持させることによって、開放端を閉じた状態で保持することができるようになっている（図１３参照）。そして、このように錘部材４が装着されたリーシュ３にて使用者２と波乗り用ボード１とを連結して、図９に示すように、使用することができるようになっている。前記のように錘部材４がリーシュ３の外径寸法よりも少し大きくなる外径寸法を有する縦長状のものから構成することによって、海中（水中）を移動している場合に、錘部材４が大きな移動抵抗となることを可及的に回避することができるのである。
【００３１】
前記錘部材４を、図１５〜図１８に示すように構成してもよい。つまり、錘部材４を、図１６に示すように、リーシュ３に装着した状態においてリーシュ３の長手方向で切断したときの断面形状がほぼ三角形状（山型状）に構成して、図１６で示すように三角形の頂部が水流方向に向いた状態にして波乗り用ボードを使用することによって、錘部材４の移動抵抗を非常に小さなものにすることができる利点がある。又、前記錘部材４を前記のようにそれの開放端から前記リーシュ３にそれの長手方向とほぼ直交する方向から抱き付かせて該開放端を閉じたドーナツ状態で保持するための前記係止保持手段５を該錘部材４に備えさせている。図１７に示すように、前記錘部材４の内面とリーシュ３の外面との間に隙間Ｓが発生するようにして、リーシュ３に対して錘部材４が移動できるようになっているが、前記隙間Ｓが無い状態にしてもよい。このとき、錘部材４の内面とリーシュ３の外面とを両面テープを用いて完全に固定して実施してもよい。
【００３２】
前記錘部材４について詳述すれば、図１７及び図１８に示すように、前記錘部材４を、２つの金属製の錘１６，１６と、これら１６，１６の外面を覆うための合成樹脂製のカバー１７とから構成している。前記カバー１７の両端面のそれぞれが、段部１８又は１９を介して周方向において異なる２箇所に端面２０，２１又は２２，２３を備えさせ、それら端面２０，２１及び２２，２３のうちの互いに接当する端面２０，２２又は２１，２３のうちの一方の端面２０又は２１に周方向に突出する凸部２４又は２５を備えさせ、他方の端面２２又は２３に周方向に凹むとともに前記凸部２４又は２５が入り込んで係止可能な凹部２６又は２７を備えさせて、図１８に示すように、錘部材４をそれの開放端から前記リーシュ３にそれの長手方向とほぼ直交する方向から抱き付かせて該開放端を閉じたときに、２組の凸部２４，２５と凹部２６，２７とが係止して両者を固定する前記係止保持手段５を構成している（図１７参照）。ここでは、係止保持手段５を構成する凸部と凹部を２組２４，２５と２６，２７を備えさせ、それら２組の凸部と凹部の係止位置を周方向で異なる位置に配置しているが、周方向で同一の位置に配置してもよい。又、図１８ではカバー１７の一方の端面を段部１８を介して周方向で位置に異なる２つの端面２０，２３を備えさせ、これら２つの端面２０，２３のうちの一方２０に凸部２４を他方の端面２３に凹部２７を備えさせ、これに対応して係止する凹部２６と凸部２５を、前記カバー１７の他方の端面を段部１９を介して周方向で異なる位置に形成された２つの端面２２，２１にそれぞれ振り分けて備えさせているが、この構成以外であってもよい。図１７及び図１８に示す２８は、Ｃ字状の錘部材４の周方向ほぼ中央部に、錘部材４の内面側から外面側へ凹むとともにリーシュ３の長手方向に延びる縦長状の凹溝であり、錘部材４のほぼ中央部の厚みを薄くすることによって、錘部材４の開放操作を小さな操作力で行えるようにしているが、前記凹部２８は無くてもよい。
【００３３】
図１６〜図１８で示した錘部材４をリーシュ３に装着する場合には、錘部材４の両端を開いてからリーシュ３にその開口端を通してリーシュ３の長手方向と直交する方向から抱きつかせる（図１８参照）。次に、前記両端を閉じることによって、前記２組の凸部２４，２５と凹部２６，２７が係止して図１７のリング状になった錘部材４をその状態に保持することができる。このとき、リング状の錘部材４の内面とリーシュ３の外面との間に隙間Ｓがあるため、リーシュ３に対して錘部材４が移動できるようになっている。そして、装着完了後において、図１５に示すように波乗り用ボード１の使用状態において図１６にも示すように、錘部材４をリーシュ３の長手方向視において切断したときの三角形の頂部が矢印で示す水流の方向に向かう状態にすることによって、錘部材４の移動抵抗を非常に小さなものにすることができるようにしている。
【００３４】
前記錘部材４を、図１９〜図２１に示すように構成してもよい。つまり、錘部材４を、図に示すように、リーシュ３の半径３Ｒの１／２（半分）よりも少し大きな曲率半径４Ｒの１／２（半分）にて螺旋状に所定ピッチＰを隔てて巻回して構成された金属製のコイル部材２９から構成して、リーシュ３に対してコイル部材４が自重により容易に移動することができるようになっており、海中（水中）において足側から離れる側（水深が深くなる側）へコイル部材４が移動することで、足にリーシュ３がより一層絡みにくくできるが、リーシュ３の半径３Ｒの１／２（半分）と同じ曲率半径にて螺旋状に巻回して、リーシュ３に対してコイル部材２９が自重により容易に移動することができないようにしてもよい。前記コイル部材４は、断面形状が丸形のものを使用しているが、楕円形や角形などであってもよい。又、前記ピッチ（隙間）Ｐを設けることによって、リーシュ３に対して容易にコイル部材４を脱着することができる利点があり、そのピッチＰの寸法は、リーシュ３の太さに応じて変更することができるが、リーシュ３の太さ（直径寸法）よりもピッチＰを大きくしている方が脱着がやり易いものになる。前記リーシュ３にコイル部材２９を装着する場合には、コイル部材２９の一端をリーシュ３に係合させてからリーシュ３をコイル部材２９の螺旋に沿って回転させることによって、コイル部材２９内にリーシュ３を位置させて装着を完了することができる。しかも、コイル部材２９は螺旋状になっているため、リーシュ３の特定箇所にかたまって位置することがないから、海水（水）の抵抗になり難い利点がある。前記コイル部材４の表面（外面）に、軟質の合成樹脂又は発泡性合成樹脂をコーティングすることによって、波乗りボードとの接触により該ボードが破損することを回避することができるようにしてもよい。また前記軟質の合成樹脂又は発泡性合成樹脂のコーティングは、錆止めにもなる。前記コイル部材２９の材料は、前述したものから構成することになるが、コイル部材２９の長さを変更することによって、錘の重量を容易に調節することができる。
【００３５】
図２２に示すように、前記リーシュ３の使用者側端に、リーシュ３を使用者に連結するための連結部材６を回転自在に連結している。前記リーシュ３の連結部材側端部に、端部側ほど外径が大きくなるテーパー部を構成するほぼ円錐状の部材７を外嵌着し、この部材７にコイル部材２９の一端を外装した状態とする（押し込んだ状態にする）ことによって、コイル部材２９を部材７に固定することで、例えば海底が浅い所で使用する場合に、コイル部材２９を海中から出した状態にすることによって、複雑な海底の岩や珊瑚にコイル部材２９を引っ掛けてしまうことがない。また、リーシュ３の使用者側端部がコイル部材２９によって真っ直ぐ延びた状態にすることができるため、丸くなったリーシュ３の使用者側端部が足に絡むといったことを回避することができる。図２２に示す７Ａは、部材７の表面に形成した凹部であり、その凹部７Ａにコイル部材２９の先端が食い込むことによって、コイル部材２９がリーシュ３の使用者側端部から反対側へ移動することを確実に回避することができる利点があるが、凹部７Ａの無いものであってもよい。
また図２３に示すように、前記リーシュ３の連結部材側端部の前記部材７の外面に、螺旋状の溝部７Ｍを形成し、その溝部７Ｍにコイル部材２９を係合しておくことによって、コイル部材２９を海中から出ているリーシュ３の使用者側端部に強固に位置保持させることができる利点がある。前記コイル部材２９の先端にコイル部材２９の直径よりも大きな直径を有する球状部３０を備えさせると共に、この球状部３０の一部が入り込む凹部７ｍ（溝部７Ｍよりも深くなるように設定している）を前記溝部７Ｍの使用者側端部に形成して、前記球状部３０を凹部７ｍに入り込ませて係止保持させることによって、溝部７Ｍからコイル部材２９が外れる側（使用者側とは反対側のボード側）に移動することを確実に阻止することができる利点があるが、無くてもよい。
【図面の簡単な説明】
【００３６】
【図１】波乗り用ボードと使用者とを第１の錘部材を備えたリーシュ絡み防止具にて連結して波乗りをしている状態を示す側面図である。
【図２】第１の錘部材の斜視図である。
【図３】第１の錘部材の縦断側面図である。
【図４】第１の錘部材の縦断平面図である。
【図５】波乗り用ボードと立ち姿勢の使用者とをリーシュ絡み防止具にて連結して波乗りをしている状態を示す平面図である。
【図６】図１で示したリーシュ絡み防止具と水流との関係を示す横断平面図である。
【図７】リーシュの使用者側端部の構成を示す平面図である。
【図８】図１で示したリーシュ絡み防止具の斜視図である。
【図９】波乗り用ボードと使用者とを第２の錘部材を備えたリーシュ絡み防止具にて連結して波乗りをしている状態を示す側面図である。
【図１０】第２の錘部材の斜視図である。
【図１１】第２の錘部材の側面図である。
【図１２】第２の錘部材の縦断側面図である。
【図１３】第２の錘部材をリーシュに装着した状態を示す縦断面図である。
【図１４】第２の錘部材をリーシュに装着する直前の状態を示す縦断面図である。
【図１５】波乗り用ボードと使用者とを第３の錘部材を備えたリーシュ絡み防止具にて連結して波乗りをしている状態を示す平面図である。
【図１６】図１５のリーシュ絡み防止具と水流との関係を示す横断平面図である。
【図１７】リーシュに第３の錘部材を装着した状態を示す縦断側面図である。
【図１８】リーシュに第３の錘部材を装着する直前の状態を示す縦断側面図である。
【図１９】波乗り用ボードと使用者とを第４の錘部材を備えたリーシュ絡み防止具にて連結して波乗りをしている状態を示す平面図である。
【図２０】第４の錘部材の斜視図である。
【図２１】第４の錘部材をリーシュに装着した状態を示す平面図である。
【図２２】リーシュの使用者側端部の構成を示す平面図である。
【図２３】リーシュの使用者側端部に備えさせたテーパー部に溝部を形成した平面図である。
【図２４】リーシュが使用者の足に絡みついた状態を示す説明図である。
【符号の説明】
【００３７】
１  サーフボード（波乗り用ボード）
２  使用者
３  リーシュ
４  錘部材
４Ａ  リング本体
４Ｂ  カバー体
４ａ  内周面
４ｂ  外周面
４ｃ  側面
５  係止保持手段
６  連結部材
７  部材
７Ａ  凹部
７ｍ  凹部
７Ｍ  溝部
８  紐
９  保持部材
１０  錘
１１  カバー
１２  第１係止部
１３，１４  爪部
１５  係止部
１６  錘
１７  カバー
１８，１９  段部
２０，２１，２２，２３  端面
２４，２５  凸部
２６，２７  凹部
２８  凹部
２９  コイル部材
３０  球状部
Ｐ  所定ピッチ
Ｓ  隙間
【図１】
2006247370.tif 000003
【図２】
2006247370.tif 000004
【図３】
2006247370.tif 000005
【図４】
2006247370.tif 000006
【図５】
2006247370.tif 000007
【図６】
2006247370.tif 000008
【図７】
2006247370.tif 000009
【図８】
2006247370.tif 000010
【図９】
2006247370.tif 000011
【図１０】
2006247370.tif 000012
【図１１】
2006247370.tif 000013
【図１２】
2006247370.tif 000014
【図１３】
2006247370.tif 000015
【図１４】
2006247370.tif 000016
【図１５】
2006247370.tif 000017
【図１６】
2006247370.tif 000018
【図１７】
2006247370.tif 000019
【図１８】
2006247370.tif 000020
【図１９】
2006247370.tif 000021
【図２０】
2006247370.tif 000022
【図２１】
2006247370.tif 000023
【図２２】
2006247370.tif 000024
【図２３】
2006247370.tif 000025
【図２４】
2006247370.tif 000026